(57)【要約】【課題】携帯機器の外観を損なわず、かつ品質を維持させることができる、端子とそれを有する充電器を提供する。【解決手段】本発明の端子３は、中空の円柱状をした外枠部４と、外枠部４の内部に設けられ、外枠部４の内部から突出する部分を有する軸部と、を有する。外枠部４には、外枠部４の側部に位置し、一方の端部から他方の端部に、かつ周方向に向かって延びる切欠き部１０と、一方の端部の中心に位置する開口部と、が設けられている。軸部には、円柱状の胴部と、胴部の一方の端の中心から外枠部４の一方の端部の開口部から突出するピン６と、胴部の側部から突出し、外枠部４の切欠き部１０内に位置する突起部７と、が設けられている。そして、軸部が外枠部４の軸方向に移動すると、突起部７は切欠き部１０に沿って摺動し、胴部と軸部とが周方向に回転する。【選択図】図２
2013027279.tif 000002
【特許請求の範囲】
【請求項１】
中空の円柱状をした外枠部と、前記外枠部の内部に設けられる導電性を有する軸部と、を有する端子であって、
前記外枠部には、前記外枠部の側部に位置し、一方の端部から他方の端部に、かつ周方向に向かって延びる切欠き部と、前記一方の端部の中心に位置する開口部と、が設けられており、
前記軸部には、円柱状の胴部と、前記胴部の一方の端の中心から前記外枠部の前記一方の端部の前記開口部を介して突出するピンと、前記胴部の側部から突出し、前記外枠部の前記切欠き部内に位置する突起部と、が設けられており、
前記軸部が前記外枠部の軸方向に移動すると、前記突起部は前記切欠き部に沿って摺動し、前記胴部と前記軸部とが周方向に回転する、端子。
【請求項２】
前記外枠部の内部であって、前記軸部と前記外枠部の他方の端部との間にバネが設けられている、請求項１に記載の端子。
【請求項３】
請求項１または２に記載の端子を有しており、
前記端子は、外部電源または基板に接続されている、充電器。
【請求項４】
中空の円柱状をした外枠部と、前記外枠部の内部に設けられ、導電性を有する軸部と、を有する端子の製造方法であって、
前記外枠部の内部に配置した前記軸部に、前記外枠部の一方の端部の中心に形成した開口部から突出するようにピンと、前記外枠部の側部に形成した、前記一方の端部から他方の端部に、かつ周方向に向かって延びる切欠き部から突出するように突起部と、を形成し、
前記外枠部の内部の前記他方の端部と前記軸部との間にバネを配置する、端子の製造方法。
【発明の詳細な説明】
【技術分野】
【０００１】
本発明は、端子、特に携帯機器用の充電器の端子に関する。
【背景技術】
【０００２】
携帯電話機、携帯型ゲーム機、ＰＤＡ（Ｐｅｒｓｏｎａｌ Ｄａｔａ Ａｓｓｉｓｔａｎｃｅ）などの携帯機器では、携帯機器の内部に設けられた充電池に予め充電しておき、使用時には、充電池に溜めた電気を使用する場合が多い。
【０００３】
関連技術の一例の充電器の外観概略図を図４に示す。また、図５に図４の充電器の端子の構造の概略構成図を示す。充電器２１には、携帯機器３１を受け入れ支持するための窪みである受け入れ部２２が設けられている。受け入れ部２２の底部には、充電器２１の端子２３が設けられている。また、携帯機器３１の端部の、充電器２１の端子２３に対応する位置に端子３２が設けられている。
【０００４】
充電器２１の受け入れ部２２に携帯機器３１が挿入され、携帯機器３１の端子３２と充電器２１の端子２３とが当接することで、充電器２１から携帯機器３１へ電気が供給される。
【０００５】
充電器２１の端子２３は、一部を除いて充電器２１内に位置している。また、端子２３は、両端部の間の一部がコイル状になっている金属板であり、一方の端部は充電器２１内の基板２５に取り付けられている。他方の端部は自由端になっており、携帯機器３１の端子３２と接触する接触部２４となっている。この接触部２４は充電器２１の内部から受け入れ部２２に突出している。
【０００６】
携帯機器３１を充電器２１の受け入れ部２２に挿入すると、充電器２１の端子２３の接触部２４が押し込まれる。携帯機器３１を充電器２１から取り外すと、充電器２１の端子２３は一部がコイル状になっているため、弾性力によって、接触部２４は元の位置に戻るようになっている（例えば特許文献１参照）。
【先行技術文献】
【特許文献】
【０００７】
【特許文献１】特開２０００−３２１０５公報
【発明の概要】
【発明が解決しようとする課題】
【０００８】
図６に、携帯機器３１を充電器２１の受け入れ部２２に挿入するときの様子を示す。実線が携帯機器３１の端子３２と充電器２１の端子２３とが接触を始めたときであり、破線が携帯機器３１を充電器２１の受け入れ部２２に挿入し切ったときである。
【０００９】
携帯機器３１の端子３２と充電器２１の端子２３とが接触をしてから、携帯機器３１を充電器２１の受け入れ部２２に挿入し切るまでに、充電器２１の端子２３の接触部２４と携帯機器３１の端子３２の表面との接点が移動する。そのため、携帯機器３１の端子３２は一定以上の大きさが必要となり、このことにより、携帯機器３１の外観を損なってしまう。
【００１０】
また、図７に関連技術の一例の他の充電器２１の端子２３の概略構成図を示す。この端子２３は中空の円柱状の筒２６の一方の端部から棒状のピン２７が突出しており、筒２６の内部に設けたバネ（不図示）によって、ピン２７が上下方向、つまり筒２６の内部に向かう方向または筒２６から突出する方向に移動可能である。この端子２３の場合、充電器２１の端子２３と携帯機器３１の端子３２の接点は動かないため、携帯機器３１の端子３２を小さくでき、携帯機器３１の外観を損なわない。
【００１１】
しかしながら、この構造の場合、携帯機器３１の端子３２と充電器２１の端子２３とが擦れあわないため、各端子２３、３２の表面がほとんど摩耗しない。そのため、金属酸化膜が各端子２３、３２の表面に形成されてしまい、接触不良を起こす可能性がある。
【００１２】
本発明の目的は、携帯機器の外観と品質を両立させることは困難である、といった課題を解決する、端子およびそれを有する充電器を提供することである。
【課題を解決するための手段】
【００１３】
本発明の端子は、中空の円柱状をした外枠部と、外枠部の内部に設けられ、外枠部の内部から突出する部分を有する軸部と、を有する。外枠部には、外枠部の側部に位置し、一方の端部から他方の端部に、かつ周方向に向かって延びる切欠き部と、一方の端部の中心に位置する開口部と、が設けられている。軸部には、円柱状の胴部と、胴部の一方の端の中心から外枠部の一方の端部の開口部から突出するピンと、胴部の側部から突出し、外枠部の切欠き部内に位置する突起部と、が設けられている。そして、軸部が外枠部の軸方向に移動すると、突起部は切欠き部に沿って摺動し、胴部と軸部とが周方向に回転する。
【発明の効果】
【００１４】
本発明によると、携帯機器の外観を損なわず、かつ品質を維持させることができる。
【図面の簡単な説明】
【００１５】
【図１】本発明に係る携帯機器用の充電器の一実施形態の概略構成図である。
【図２】本発明の充電器に使用する端子の外観概略図である。
【図３】図２の端子の分解図である。
【図４】関連技術の一例の充電器の外観概略図である。
【図５】図４の充電器の端子の構造の概略構成図である。
【図６】携帯機器を充電器の受け入れ部に挿入するときの様子を示す図である。
【図７】関連技術の他の一例の充電器の端子の概略構成図である。
【発明を実施するための形態】
【００１６】
以下に、添付の図面に基づき、本発明の実施の形態の詳細について説明する。なお、同一の機能を有する構成には添付図面中、同一の番号を付与し、その説明を省略することがある。
【００１７】
図１に、本発明に係る携帯機器用の充電器の一実施形態の概略構成図を示す。また、図２に、本発明の充電器に使用する端子の外観概略図、図３に、図２の端子の分解図を示す。
【００１８】
充電器１には、携帯機器１１を受け入れ支持するための窪みである受け入れ部２が設けられている。また、充電器１の内部には端子３が設けられており、この端子３の一部であるピン６（図２、図３参照）が、受け入れ部２の底部で充電器１の内部から突出している。受け入れ部２に携帯機器１１を挿入すると、携帯機器１１の端子１２と充電器１の端子３のピン６とが当接し、充電器１から携帯機器１１に通電が可能となる。
【００１９】
次に、図２、３を用いて、充電器１に使用される端子３について詳細に説明する。端子３は、中空の円筒状をした外枠部４、外枠部４の内部に設けられ、胴部５とピン６と突起部７とを有する軸部８、および外枠部４の内部に設けられるバネ（不図示）を有している。
【００２０】
外枠部４は、一方の端部の中心に、外枠部４の内部から外部に貫通する開口部９が設けられている。また、外枠部４の側面の一部には、外枠部４の内部から外部に貫通する、周方向かつ長手方向に延びる切欠き部１０が設けられている。
【００２１】
軸部８は、導電性を有しており、外枠部４の内部に設けられ、外枠部４よりも短くなっている。胴部５は円柱状をしており、一方の端部の中心には端部から突出するピン６が設けられている。このピン６は、外枠部４の開口部９を介して外枠部４の外部に突出するようになっている。また、胴部５には、側部から突出する突起部７が設けられている。この突起部７は、胴部５の一方の端部が最も外枠部４の一方の端部に近づいているときに、外枠部４の切欠き部１０の最も一方の端部側に位置するように配置されている。
【００２２】
バネは、外枠部４の内部に設けられ、外枠部４の内部であって、他方の端部と軸部８とに挟まれるように位置している。
【００２３】
なお、図示していないが、端子３は、外部電源や、充電器１内の基板（不図示）に接続されている。
【００２４】
以上のように構成された充電器１の端子３のピン６が他方の端部側に押し込まれると、突起部７が外枠部４の切欠き部１０に沿って移動するため、軸部８は胴部５の周方向に回転する。そのため、ピン６も同様に回転する。したがって、充電器１の受け入れ部２に携帯機器１１を挿入すると、携帯機器１１の端子１２と充電器１の端子３のピン６とが当接し、ピン６は押し込まれる。すると、上述したように、突起部７が外枠部４の切欠き部１０に沿って移動するため、軸部８は回転を行いながら、外枠部４の他方の端部方向に移動する。そのため、ピン６の、携帯機器１１の端子１２との当接部分は、携帯機器１１の端子１２の表面を擦りながら回転をするため、携帯機器１１の端子１２と充電器１の端子３との間で摩耗が生じる。したがって、それぞれの端子３、１２の表面に金属酸化膜が生成してしまうことを防止することができる。また、充電器１の受け入れ部２に携帯機器１１を挿入し始めたときと、挿入し切ったときとで、充電器１の端子３と携帯機器１１の端子１２との接点の位置に変化がないため、携帯機器１１の端子１２の面積を大きくする必要がない。そのため、携帯機器１１の外観を損なうことを防止することができる。
【００２５】
なお、本発明の充電器１で充電できる携帯機器は、携帯電話機、携帯型ゲーム機、ＰＤＡなどが挙げられるが、これらに限定されない。
【符号の説明】
【００２６】
１  充電器
２  受け入れ部
３  端子
４  外枠部
５  胴部
６  ピン
７  突起部
８  軸部
９  開口部
１０切欠き部
１１携帯機器
１２端子
【図１】
2013027279.tif 000003
【図２】
2013027279.tif 000004
【図３】
2013027279.tif 000005
【図４】
2013027279.tif 000006
【図５】
2013027279.tif 000007
【図６】
2013027279.tif 000008
【図７】
2013027279.tif 000009